(57)【要約】【課題】  チューブ状の容器のキャップは内容物の乾燥と漏れを防ぐ目的で装着されている。使用中、外したキャップが転がり、紛失又は幼児による誤飲の恐れもある。また、内容物を患部や対象物に使用する際には、指などに一度付着させてから塗り付けるようになっていた。【解決手段】  塗り具一体型キャップはチューブ状容器の内容物の乾燥、漏れ防止の他、塗り棒が一体型になった事による形状によって転がり及び紛失、誤飲防止と塗り棒に内容物をすくい取り、手を汚さずに患部又は対象物に塗り付ける事が出来る。【選択図】図１
2016222315.tif 000002
【特許請求の範囲】
【請求項１】
チューブ状の容器にはまる、キャップと、キャップから容器側に伸びてキャップを容器にはめたときに、容器に収まるようにキャップと一体に形成されている棒状の塗り棒と、塗り棒は、外周に切断用の切込みが形成され、切込み部分によって先端側から順次切断して切り捨てられる切り捨て部と、キャップと一体のまま残存する残存部とで構成され、切り捨て部の先端から使い、使う度に切り捨てることで、塗り棒を衛生的に保ちチューブ状の容器の内容物が少なくなったとき、容器内に塗り棒を短くして収納することができる事を特徴とする塗り棒一体型キャップ。
【請求項２】
塗り棒の切断用の切り込みが複数形成されている場合において切り込みは、塗り棒の先端側は広間隔に形成されており、キャップ根元部分に近づくにつれ、狭間隔に形成されていることを特徴とする請求項１記載の塗り棒一体キャップ。
【請求項３】
前記の残存部は、先端の形状が容器内の内容物をすくい取る為のすくい取り部が形成されている事を特徴とする請求項１または２記載の塗り棒一体型キャップ。
【請求項４】
前記の切り捨て部は、表面にディンプル（えくぼ）溝が形成されている事を特徴とする、請求項１〜３のいずれかに記載の塗り棒一体型キャップ。
【請求項５】
前記の切り捨て部は、ネジ溝が形成されている事を特徴とする請求項１〜３のいずれかに記載の塗り棒一体型キャップ。
【請求項６】
前記の切り捨て部は、球体を連ねた形状に形成されている事を特徴とする請求項１〜３いずれかに記載の塗り棒一体型キャップ。
【請求項７】
前記の棒状の塗り棒は方形又は多角形に形成されている事を特徴とする請求項１〜５いずれかに記載の塗り棒一体型キャップ。
【発明の詳細な説明】
【技術分野】
【０００１】
本発明は、チューブ状の容器に入っている内容物（軟膏剤、クリーム、接着剤、化粧品等）を患部又は対象物に塗るための塗り棒一体型キャップである。キャップと一体型に塗り付け用の棒状の部材が形成されているため、手を汚すことなく内容物を患部及び対象物に塗り付けできる。更に、棒状の塗具部分に細かく切れ込みが入っているため、チューブ内溶物の減少状態にあわせ、塗り棒部分を切断する事によって塗り棒の長さを調整する事ができる。また、装着時には内容物の乾燥と漏れを防ぐ事もできる。
【背景技術】
【０００２】
チューブ状の容器に入った内容物の乾燥や漏れを防ぐようにチューブ状の容器には、容器口を塞ぐキャップが閉められている。内容物を患部及び対象物に塗るには、キャップをチューブ状の容器から取り外す。このキャップは、取り外した後、特にその用途がなかった。また、丸い形状であることから、取り外して置いた際には、キャップが転がりやすく紛失の恐れがあった。幼児などが近くにいる際には誤飲などの事故も予測された。そこで、チューブ状容器から内容物をすくい取るために、キャップに塗り棒を一体形成し、この塗り棒を内容物のすくい取りと、患部及び対象物への塗り具として使用する事によって、キャップの紛失、誤飲などの事故を防ぐ事もできる。この塗り棒一体型のキャップによれば、従来品のキャップに比べて塗り棒がチューブ状の容器の容器口を塞ぐため、内容物の乾燥を効果的に防ぐ事もできる。
【先行技術文献】
【特許文献】
【０００３】
【特許文献１】特開２００５−３０６４３６号公報
【特許文献２】特開２００２−２３８６５４号公報
【特許文献３】特開２００３−２３０４２７号公報
【特許文献４】特開２００５−３９１１９９号公報
【特許文献５】特開２００５−２４９５５３号公報
【特許文献６】特許３７６６９５６公報
【非特許文献】
【０００４】
【非特許文献１】コニシボンドウェブページhttp://www.bond.co.jp/bond/diy/detail.php
【発明の概要】
【発明が解決しようとする課題】
【０００５】
チューブ状容器のキャップは、内容物の乾燥や漏れを防ぐように容器口を塞ぐように閉められている。内容物を使用する際は、そのキャップをチューブから取り外す。取り外したキャップが転がり紛失してしまう事や、幼児の誤飲などの事故が起こりやすい。また、チューブ状の容器は、内容物を最後まで絞り出す事が困難で常に容器内に少し残った状態で廃棄してしまう事があった。更に内容物を容器から絞り出して使用する際も、直接患部や対象物に塗り着けるのではなく、一度指先に添付してから用いる事から、指先や手が汚れ、後に指や手の洗浄が必要であった。
【課題を解決するための手段】
【０００６】
キャップが装着されているときは、内容物の乾燥や漏れを防ぐための用途が主であるが、内容物を使用するためにキャップを外した際には、その内容物をすくい取り、塗り棒として使用する事が出来る。  
【０００７】
本発明はキャップ内側から一体型の塗り棒を形成することによって、キャップを外している間は、塗り棒として使用し、手及び指を汚すことなく、内容物を患部及び対象物に塗る事ができる。
【０００８】
チューブ状の容器は、使い続けると内容物が減少する為、容器のキャップ反対側先端部から巻き上げるように絞って使用する事がある、塗り棒の長さが長いままだと、容器を巻き上げて使用した際に、容器内に塗り棒を収納する事が出来なくなってくる。そこで、塗り棒に、切断用切り込みを設け、チューブ容器内の内容量に応じて巻き上げして短くなった容器サイズに合わせ、塗り棒を切り込みにそって切断する事で、長さを調整することができ、容器内に収納可能となる。  
【０００９】
乾燥や漏れを防ぐ目的のキャップ内側に一体型で形成された棒状の塗り棒は、容器チューブの開口サイズ以下の太さに設定し、キャップ閉口時は容器内部に塗り棒部分が収納されるようにする、それにより従来のキャップよりも乾燥を防ぐ事が出来る。
【００１０】
また、容器の内容物の減少具合に合わせて容器を圧縮した事を考慮し、塗り棒となる棒の部分に切断用切り込みをいれる。これによって容器の圧縮によるチューブ容器の長さに合わせて塗り棒を切り込み線で切り調節する、塗り棒は最後に残存部を残す事により容器内に残った内容物を最後まで残す事無く、すくい取ることができる。
【００１１】
キャップのネジ内径部分は、ISO又はJIS規格等の代表的なサイズとなるチューブ状の容器の雄ねじのサイズに合わせて雌ネジ加工で各種作成し、各サイズに対応する事ができる。
【００１２】
キャップを外している間は、塗り棒として使用できるが、仮に塗り棒として使用せずに置いておく際も、塗り棒部分がキャップの転がりを防ぎ、転がり及び紛失防止機能となる。また、従来品のキャップ単体より塗り棒が形成されている形状により物体が大きくなることから、幼児の誤飲防止としても役立てる事ができる。
【００１３】
塗り棒を使用して内容物をすくい取り、患部に塗る事ができるので、手や指先を汚すことがない。
【００１４】
塗り棒の形状が細い事から、従来のように指に取ってから塗るより、更に狭い場所の患部及び対象物にも塗り付けることが出来るようになる。特に外用薬で患部が指の間などの場合には、より効果的に使用できる。
【００１５】
内容物が分離した際などは、それをかき混ぜる目的としても使用できる。
【発明の効果】
【００１６】
本発明によって容器にキャップ装着時、塗り棒２はチューブ状の容器内に収納される。その際、チューブ内の内容物に塗り棒２は常に触れている事になる。使用する際には、キャップを取り外す。キャップを引き抜くと塗り棒２には、容器収納時に触れていた内容物が付着した状態で引き上がってくる、塗り棒に付着した内容物をそのまま患部及び対象部に塗り付ける事ができる。それによって、手や指先を内容物で汚すことなく使用する事ができる。
【００１７】
塗り棒２が内容物内に収納されるため、密閉度が増し、現行品のキャップ形状の物より、内容物の乾燥を防止する事ができる。
【００１８】
塗り棒２は内容物の残量によって、絞り巻き上げして収縮したチューブ容器の長さに合わせ、切断用切り込み４で切断し、調節して使用できる。また、残存部３によって、内容物を最後まで無駄なくすくい取り、使用する事ができる。
【００１９】
キャップに塗り棒が一体になっている形状によって、塗り棒の転がり、紛失及び幼児の誤飲防止となる。
【００２０】
塗り棒２の形成により、常に適量の内容物を取り出す事ができ、狭い箇所への塗り付けもより安易になる。
【図面の簡単な説明】
【００２１】
【図１】塗り棒一体型キャップの正面図
【図２】図１の平面図
【図３】図１の底面図
【図４】図１のA−A’線断面図
【図５】切り込みを設けた実施例の斜視図
【図６】切り込みの間隔が先端からキャップ根元まで等間隔に形成された実施例の正面図
【図７】切り込みの間隔が先端からキャップ側に向かって狭くなった実施例の正面図
【図８】塗り棒の外周にネジ溝を形成した実施例の正面図
【図９】塗り棒の外周にディンプル状の溝を形成した実施例の正面図
【図１０】塗り棒一体型キャップを容器に収納した状態を示す斜視図
【図１１】塗り棒残存部先端部を平らなヘラ状に形成した実施例の斜視図
【図１２】塗り棒残存部先端部を刷毛状に形成した実施例の斜視図
【図１３】塗り棒残存部先端部をくの字鍵状に形成した実施例の斜視図
【図１４】塗り棒を連なる球状に形成した実施図の斜視図
【図１５】塗り棒を長方形状に形成し切断用切り込みを設けた実施例の斜視図
【図１６】塗り棒を六角形に形成し切断用切り込みを設けた実施例の斜視図
【符号の説明】
【００２２】
１キャップ
２塗り棒
３塗り棒  残存部
４切断用切り込み
５ネジ溝
６ディンプル（えくぼ）状の溝
７残存部先端のすくい取り部
８切り捨て部
９切り捨て部球状塗り棒
１０切り捨て部長方形状塗り棒
１１切り捨て部六角形塗り棒
【発明を実施するための最良の形態】
【００２３】
以下、本発明を図の具体例を用いて詳細に説明する。
【００２４】
図１に本発明塗り具一体型キャップの正面図を示す。図３底面図に示す通り、塗り棒一体型キャップはキャップ１から塗り棒２が伸びるように一体に形成されている。塗り棒２の外周には、切断用切り込み４が形成されている。キャップを容器にはめて、キャップを閉めた時には、キャップから伸びている塗り棒２は、容器内に収納される。塗り棒２を容器内に収納した時は、塗り棒２が容器口を塞ぐため、内容物の乾燥及び漏れ防止になる。
【００２５】
塗り棒２は、棒状であり、断面は円形の場合も方形の場合も多角形の場合も含む。
塗り棒２の外周には切断用切り込みが形成されている。切断用切り込み４を、複数形成する場合の切り込み同士の間隔は、均一、又は不均一に形成されている。切断用切り込み４は、チューブ内容物の減少具合によって、巻き上げ抽出されたチューブ本体の収縮具合に合わせ切断を行い、収縮したチューブ容器に塗り棒２を収納できるようにする。最終的に、塗り棒残存部３は、切断せず、最後まで残すものとする。図２は、キャップ１の平面図である。キャップを閉める際には、キャップ１部分を持って容器に締めつける。キャップ１を閉めた際には、塗り棒２は、容器内に収納される。容器が最小限に収縮した際は、塗り棒２は、残存部３の長さとなって容器内に収納される。
【００２６】
塗り棒２は、キャップ閉鎖時に常にチューブ容器内に収納される事から、常に内容物に接している状態となる。そのため、使用時に、キャップ１を外すと塗り棒２に内容物が付着した状態で引きあがってくる。そのまま、塗り棒２を塗り具として使用して、患部や対象物に内容物を塗り付ける事が出来る。それによって、手や指に内容物を一度とる手間が要らなくなる。図４は、塗り具一体型キャップの断面図Ａ〜Ａ‘を示し、キャップ頭頂部から伸びる塗り棒２の形状及び塗り棒残存部３、切り捨て部８を示す。図5は、図１の斜視図を示す。
【００２７】
図６は、塗り棒２の切り捨て部８に形成される、切断用切り込み４の形状が先端からキャップ側根元まで均一に形成れている。
【００２８】
図７は、塗り棒２の切り捨て部８に形成される、切断用切り込み４の形状が先端は広間隔、キャップ側根元に近づく程切れ込みの間隔が狭間隔となるように形成されている、チューブの内容量及び容器の折りたたみサイズによって、塗り棒２部分を切断して長さを調節する、図７塗り棒２の切断用切り込み４の広間隔とは、８．０ｍｍ〜４．０ｍｍ、狭間隔とは、４．０ｍｍ〜２．０ｍｍであることを特徴とする塗り棒一体型キャップである。
【００２９】
図８は、塗り棒２の切り捨て部８に形成される、４の凹状で均一及び不均一な間隔の切断用切り込みとは異なる、塗り棒の外周全てに均一間隔のネジ溝５を凹凸状に入れた形状を示す。ネジ溝５の形状によって溝の凹凸部分に、内容物がより着きやすくなる。
【００３０】
図９は、塗り棒２の切り捨て部８に形成される切断用切り込み４の凹状で均一及び不均一な間隔の切断用切り込みとは異なる、塗り棒の外周全てにディンプル状の溝６を形成している。ディンプル状の溝６によって溝の凹凸部分に内容物が、より着きやすくなる。
【００３１】
図１０に示すように、キャップ１から容器側に伸びるように形成される、塗り棒２によって、従来のチューブ状容器のキャップと、大きく異なる形状になる。容器に装着時はキャップとしての乾燥及び漏れ防止として機能、また、外した際には、塗り具として用途の幅も広がる。乾燥防止効果の向上、手や指を汚さずに患部や対象物に塗り付ける事ができるという作業効率の向上が見込める。
【００３２】
図１１は、残存部３と切り捨て部８の境目の残存部先端すくい取り部７を平らなヘラ状に形成し、最後まで巻き上げしたチューブ状容器の中に残った内容物をよりかき出しやすくできるようにし、内容物を最後まで残さず、無駄なく使用する事ができる。
【００３３】
図１２は、残存部３と切り捨て部８の境目の残存部先端すくい取り部７を刷毛状に形成し、最後まで巻き上げしたチューブ状容器の中に残った内容物をよりかき出しやすくできるようにし、内容物を最後まで残さず、無駄なく使用する事ができる。
【００３４】
図１３は、残存部３と切り捨て部８の境目の残存部先端すくい取り部７をくの字のかぎ状に形成し、最後まで巻き上げしたチューブ状容器の中に残った内容物をよりかき出しやすくできるようにし、内容物を最後まで残さず、無駄なく使用する事ができる。
【００３５】
図１４は、切り捨て部球状塗り棒９の形状に形成。
【００３６】
図１５は、切り捨て部長方形塗り棒１０の形状に形成。
【００３７】
図１６は、切り捨て部六角形塗り棒１１の形状に形成。
【産業上の利用可能性】
【００３８】
現状の市販のチューブ状の容器に装着する事により、乾燥防止及び漏れ機能のみのキャップではなく塗り具としても使用する事ができる。
【図１】
2016222315.tif 000003
【図２】
2016222315.tif 000004
【図３】
2016222315.tif 000005
【図４】
2016222315.tif 000006
【図５】
2016222315.tif 000007
【図６】
2016222315.tif 000008
【図７】
2016222315.tif 000009
【図８】
2016222315.tif 000010
【図９】
2016222315.tif 000011
【図１０】
2016222315.tif 000012
【図１１】
2016222315.tif 000013
【図１２】
2016222315.tif 000014
【図１３】
2016222315.tif 000015
【図１４】
2016222315.tif 000016
【図１５】
2016222315.tif 000017
【図１６】
2016222315.tif 000018